(57)【特許請求の範囲】
【請求項１】
デジタル音声信号を処理するデジタル信号処理手段と、
上記デジタル信号処理手段によって処理されたデジタル音声信号をアナログ音声信号に変換するデジタル／アナログ変換手段と、
上記アナログ音声信号中の低域周波数成分のみのレベルを変える低域レベル可変手段と、
上記低域レベル可変手段によって上記アナログ音声信号中の低域周波数成分のみのレベルが増強されたとき、その増強量より小さい低下量の範囲内で、その増強量が大きいときほど低下量を大きくするように、その増強量に応じて上記アナログ音声信号の全帯域の出力レベルを低下させる出力レベル制御手段と、
を備えることを特徴とする音声再生装置。
【発明の詳細な説明】
【０００１】
【発明の属する技術分野】
この発明は、直径６４ｍｍの記録再生可能な光磁気ディスク、または直径６４ｍｍの再生用の光ディスクである、いわゆるミニディスク（以下、ＭＤと称する）などの記録媒体からデジタル音声信号を読み取って処理し、アナログ音声信号に変換して音声を再生する装置に関する。
【０００２】
【従来の技術】
ＭＤ再生装置では、光学ヘッドによりＭＤから読み取られたデジタル音声信号が、ＲＦアンプを通じてデジタルシグナルプロセッサ（以下、ＤＳＰと称する）に供給されて、ＥＦＭ復号化処理などの再生用復調処理、エラー検出訂正のための復号化処理や補間処理、データデコード、およびデータ伸長などの処理がなされ、そのＤＳＰからのデジタル音声信号が、ＤＡコンバータに供給されて、アナログ音声信号に変換され、その変換後のアナログ音声信号が、ヘッドホンアンプで増幅された後、ヘッドホンに供給されて、音声が再生される。
【０００３】
このＭＤ再生装置には低音調整スイッチが設けられ、これを低音増強位置に切り替えると、ＤＡコンバータ内でのデータ演算処理によって低音が増強される。ただし、このように低音調整により低音を増強させた場合、再生する音源によっては、ヘッドホンアンプの電源電圧との関係から、ヘッドホンアンプのリニアリティ範囲を越えてしまって、再生音に著しい歪みを生じることがある。
【０００４】
そこで、従来は、トランジスタスイッチを用いたハードウエア回路によって、低音調整がＯＮのときには、すなわち低音を増強させるときには、ヘッドホンアンプへの入力レベルを下げることによって、ヘッドホンアンプのリニアリティ範囲を大きく越えて低音が増強されることがなく、再生音に大きな歪みを生じることがないようにしている。
【０００５】
【発明が解決しようとする課題】
しかしながら、このようにトランジスタスイッチを用いたハードウエア回路によると、装置のコストアップをきたす不都合がある。
【０００６】
そこで、この発明は、デジタル音声信号を処理し、アナログ音声信号に変換して、音声を再生する装置において、装置のコストアップをきたすことなく、低音増強時における再生音の歪みを抑制することができるとともに、より自然な音量感を得ることができるようにしたものである。
【０００７】
【課題を解決するための手段】
この発明の音声再生装置は、
デジタル音声信号を処理するデジタル信号処理手段と、
上記デジタル信号処理手段によって処理されたデジタル音声信号をアナログ音声信号に変換するデジタル／アナログ変換手段と、
上記アナログ音声信号中の低域周波数成分のみのレベルを変える低域レベル可変手段と、
上記低域レベル可変手段によって上記アナログ音声信号中の低域周波数成分のみのレベルが増強されたとき、その増強量より小さい低下量の範囲内で、その増強量が大きいときほど低下量を大きくするように、その増強量に応じて上記アナログ音声信号の全帯域の出力レベルを低下させる出力レベル制御手段と、
を備えることを特徴とする。
【０００８】
上記のように構成した、この発明の音声再生装置においては、低域レベル可変手段によってアナログ音声信号中の低域周波数成分のみのレベルが増強されたとき、出力レベル制御手段によって、その増強量より小さい低下量の範囲内で、その増強量が大きいときほど低下量が大きくなるように、その増強量に応じてアナログ音声信号の全帯域の出力レベルが低下させられるので、ヘッドホンアンプのリニアリティ範囲を大きく越えて低音が増強されることがなく、再生音に大きな歪みを生じることがないとともに、より自然な音量感が得られるようになる。
【０００９】
そして、この発明の音声再生装置によれば、このような処理がシステム制御部においてソフトウエアによりなされるので、装置のコストアップをきたすことがない。
【００１０】
【発明の実施の形態】
図１は、この発明の音声再生装置の実施形態を示し、ＭＤ（ミニディスク）再生装置の場合である。
【００１１】
ＭＤ１はモータ２によって回転駆動され、ＭＤ１から光学ヘッド３によって、ＲＦ信号に変調されたデジタル音声信号が読み取られる。サーボ制御回路４は、ＭＤ１が一定の線速度で回転するようにモータ２を制御するとともに、光学ヘッド３のフォーカス制御およびトラッキング制御を行う。
【００１２】
光学ヘッド３からのＲＦ信号に変調されたデジタル音声信号は、ＲＦアンプ５を通じてＤＳＰ（デジタルシグナルプロセッサ）６に供給されて、ＥＦＭ復号化処理などの再生用復調処理、エラー検出訂正のための復号化処理や補間処理、データデコード、およびデータ伸長などの処理がなされる。
【００１３】
そのＤＳＰ６からのデジタル音声信号が、ＤＡコンバータ７に供給されて、アナログ音声信号に変換され、その変換後のアナログ音声信号が、ヘッドホンアンプ８で増幅された後、ヘッドホン９に供給されて、音声が再生される。
【００１４】
装置には、サーボ制御回路４やＤＳＰ６などの装置各部を制御する、マイクロコンピュータからなるシステム制御部１０が設けられるとともに、低音調整スイッチ１１が設けられる。
【００１５】
低音調整スイッチ１１は、ポジション０，１，２の３つの位置に切り替えられるようにされ、ポジション０に切り替えられたときには、電源端子１２からの電源電圧Ｖｃｃが、抵抗１３および低音調整スイッチ１１を介して、システム制御部１０に供給されて、ＤＡコンバータ７には供給されないようにされる。
【００１６】
これによって、低音調整スイッチ１１がポジション０に切り替えられたときには、ＤＡコンバータ７において低音調整がＯＦＦにされる。また、システム制御部１０において、低音調整ＯＦＦが検出され、システム制御部１０は、後述する音量制御ルーチンに従って、その音量制御出力によりＤＳＰ６に対して通常の音量を指示する。したがって、低音が増強されない通常の再生がなされる。
【００１７】
低音調整スイッチ１１がポジション１に切り替えられたときには、電源端子１２からの電源電圧Ｖｃｃが、抵抗１３および低音調整スイッチ１１を介して、ＤＡコンバータ７の一方の低音調整切替入力端子Ｌ１に供給されて、システム制御部１０には供給されないようにされる。
【００１８】
これによって、低音調整スイッチ１１がポジション１に切り替えられたときには、ＤＡコンバータ７において、データ演算処理により、１００Ｈｚにおいて約４ｄＢレベルアップするように低音が増強される。
【００１９】
しかし、同時に、システム制御部１０において、低音調整ＯＮが検出され、システム制御部１０は、後述する音量制御ルーチンに従って、その音量制御出力によりＤＳＰ６に対して音量を２ｄＢ下げるように指示し、これによって、ＤＳＰ６は、データ演算処理により、全帯域に渡って音量を２ｄＢ下げる。
【００２０】
したがって、このとき、全帯域に渡ってヘッドホンアンプ８への入力レベルが２ｄＢ下がり、リニアリティが２ｄＢ分改善されて、再生出力の歪みが軽減する。しかも、低音増強分は２ｄＢあるので、聴感上は音量感を損なうことなく、低音上昇効果を感じとることができる。
【００２１】
低音調整スイッチ１１がポジション２に切り替えられたときには、電源端子１２からの電源電圧Ｖｃｃが、抵抗１３および低音調整スイッチ１１を介して、ＤＡコンバータ７の他方の低音調整切替入力端子Ｌ２に供給されて、システム制御部１０には供給されないようにされる。
【００２２】
これによって、低音調整スイッチ１１がポジション２に切り替えられたときには、ＤＡコンバータ７において、データ演算処理により、１００Ｈｚにおいて約９ｄＢレベルアップするように低音が増強される。
【００２３】
しかし、同時に、システム制御部１０において、低音調整ＯＮが検出され、システム制御部１０は、後述する音量制御ルーチンに従って、その音量制御出力によりＤＳＰ６に対して音量を２ｄＢ下げるように指示し、これによって、ＤＳＰ６は、データ演算処理により、全帯域に渡って音量を２ｄＢ下げる。
【００２４】
したがって、このときも、全帯域に渡ってヘッドホンアンプ８への入力レベルが２ｄＢ下がり、リニアリティが２ｄＢ分改善されて、再生出力の歪みが軽減する。しかも、低音増強分は７ｄＢあるので、聴感上は音量感を損なうことなく、低音上昇効果を感じとることができる。
【００２５】
そして、上記の実施形態によれば、上記の処理がシステム制御部１０においてソフトウエアによりなされるので、装置のコストアップをきたすことがない。
【００２６】
図２は、そのシステム制御部１０が行う上記の音量制御ルーチンを示す。この音量制御ルーチンでは、低音調整ＯＮ／ＯＦＦ検出入力を見て、まずステップＳ１において、低音調整がＯＮであるか否かを判断する。
【００２７】
そして、低音調整スイッチ１１がポジション０に切り替えられていて、抵抗１３および低音調整スイッチ１１を介してシステム制御部１０に電源電圧Ｖｃｃが供給されることにより、低音調整がＯＦＦであると判断したときには、ステップＳ１からステップＳ２に進んで、ＤＳＰ６に対して通常の音量を指示する。
【００２８】
これに対して、低音調整スイッチ１１がポジション１または２に切り替えられていて、抵抗１３および低音調整スイッチ１１を介してシステム制御部１０に電源電圧Ｖｃｃが供給されないことにより、低音調整がＯＮであると判断したときには、ステップＳ１からステップＳ３に進んで、ＤＳＰ６に対して音量を２ｄＢ下げるように指示する。
【００２９】
図１および図２に示した実施形態は、低音調整ＯＮのとき、ＤＡコンバータ７での低音増強量の大小にかかわらず、ＤＳＰ６において音量を一定量下げる場合であるが、ＤＡコンバータ７での低音増強量の大小に応じて、ＤＳＰ６における音量低下量を変えるようにしてもよい。
【００３０】
図３は、この場合の実施形態を示し、低音調整スイッチ１１がポジション０に切り替えられたときには、電源端子１２からの電源電圧Ｖｃｃが、抵抗１３および低音調整スイッチ１１を介しては、ＤＡコンバータ７にもシステム制御部１０にも供給されないようにされる。
【００３１】
したがって、このとき、ＤＡコンバータ７において低音調整がＯＦＦにされる。また、システム制御部１０は、低音調整ＯＦＦを検出して、ＤＳＰ６に対して通常の音量を指示する。
【００３２】
低音調整スイッチ１１がポジション１に切り替えられたときには、電源端子１２からの電源電圧Ｖｃｃが、抵抗１３および低音調整スイッチ１１を介して、ＤＡコンバータ７の一方の低音調整切替入力端子Ｌ１に供給されるとともに、システム制御部１０に一方の低音調整切替検出入力として供給される。
【００３３】
したがって、このとき、ＤＡコンバータ７において、データ演算処理により、１００Ｈｚにおいて約４ｄＢレベルアップするように低音が増強される。同時に、システム制御部１０において、一方の低音調整切替検出入力が検出されて、システム制御部１０は、ＤＳＰ６に対して音量を２ｄＢ下げるように指示し、これによって、ＤＳＰ６は、データ演算処理により、全帯域に渡って音量を２ｄＢ下げる。
【００３４】
したがって、このとき、全帯域に渡ってヘッドホンアンプ８への入力レベルが２ｄＢ下がり、リニアリティが２ｄＢ分改善されて、再生出力の歪みが軽減する。しかも、低音増強分は２ｄＢあるので、聴感上は音量感を損なうことなく、低音上昇効果を感じとることができる。
【００３５】
低音調整スイッチ１１がポジション２に切り替えられたときには、電源端子１２からの電源電圧Ｖｃｃが、抵抗１３および低音調整スイッチ１１を介して、ＤＡコンバータ７の他方の低音調整切替入力端子Ｌ２に供給されるとともに、システム制御部１０に他方の低音調整切替検出入力として供給される。
【００３６】
したがって、このとき、ＤＡコンバータ７において、データ演算処理により、１００Ｈｚにおいて約９ｄＢレベルアップするように低音が増強される。同時に、システム制御部１０において、他方の低音調整切替検出入力が検出されて、システム制御部１０は、ＤＳＰ６に対して音量を４ｄＢ下げるように指示し、これによって、ＤＳＰ６は、データ演算処理により、全帯域に渡って音量を４ｄＢ下げる。
【００３７】
したがって、このとき、全帯域に渡ってヘッドホンアンプ８への入力レベルが４ｄＢ下がり、リニアリティが４ｄＢ分改善されて、再生出力の歪みが軽減する。しかも、低音増強分は５ｄＢあるので、聴感上は音量感を損なうことなく、低音上昇効果を感じとることができる。
【００３８】
この実施形態では、低音調整ＯＮのとき、ＤＡコンバータ７での低音増強量が大きいときほど、ＤＳＰ６における音量低下量が大きくなるように、ＤＡコンバータ７での低音増強量の大小に応じて、ＤＳＰ６における音量低下量が変えられるので、より自然な音量感が得られるようになる。
【００３９】
【発明の効果】
上述したように、この発明によれば、デジタル音声信号を処理し、アナログ音声信号に変換して、音声を再生する装置において、装置のコストアップをきたすことなく、低音増強時における再生音の歪みを抑制することができるとともに、より自然な音量感を得ることができる。
【図面の簡単な説明】
【図１】この発明の音声再生装置の第１の実施形態を示す図である。
【図２】図１の実施形態でシステム制御部が行う音量制御ルーチンを示す図である。
【図３】この発明の音声再生装置の第２の実施形態を示す図である。
【符号の説明】
１…ＭＤ（記録媒体）、２…モータ、３…光学ヘッド、４…サーボ制御回路、５…ＲＦアンプ、６…ＤＳＰ（デジタルシグナルプロセッサ）、７…ＤＡコンバータ、８…ヘッドホンアンプ、９…ヘッドホン、１０…システム制御部、１１…低音調整スイッチ
【図１】
0003870985.tif 000002
【図２】
0003870985.tif 000003
【図３】
0003870985.tif 000004